(57)【要約】      （修正有）【課題】ユーザが質のよい画像音声効果をエンジョイすると同時に、目の負担を効果的に低減可能なヘッドマウンド型投影イヤホン構造を提供する。【解決手段】イヤホンセット１０と、制御モジュール４０と、投影モジュールと、音声モジュールとを含む。該イヤホンセットは、２つのイヤホンハウジング１１と、２つのイヤマフ１２と、イヤホンヘッド掛け１３とを含む。該制御モジュールは、該投影モジュールと該音声モジュールの作動を制御する。該投影モジュールは、イヤホンヘッド掛けに設けられた投影レンズ２１を含む。該音声モジュールは、イヤマフ内に設けられたスピーカ３１を含む。画像を再生した場合、音声は該スピーカから発生し、同時に該投影レンズは大画面を投影することができ、ビデオミーティングまたは映画を見ているときに好ましい快適さの獲得を容易にし、かつ目に対する傷害を回避することができる。【選択図】図１
0003209661.tif 000002
【実用新案登録請求の範囲】
【請求項１】
イヤホンセットと、制御モジュールと、投影モジュールと、音声モジュールとを含むヘッドマウンド型投影イヤホン構造であって、
前記イヤホンセットは、２つのイヤホンハウジングと、前記２つのイヤホンハウジングにそれぞれ結合された２つのイヤマフと、前記２つのイヤホンハウジングに連結されたイヤホンヘッド掛けとを含み、
前記制御モジュールは、前記投影モジュールと前記音声モジュールとに電気的に接続され、前記投影モジュールと前記音声モジュールの作動を制御しており、
前記投影モジュールは、前記イヤホンヘッド掛けに設けられた投影レンズを含んでおり、
前記音声モジュールは、各イヤマフ内に設けられたスピーカを含み、画像を再生した場合、音声は前記スピーカから発生し、同時に前記投影レンズは画像を壁面に投影することができることを特徴とするヘッドマウンド型投影イヤホン構造。
【請求項２】
前記制御モジュールは、電気システム全体の機能作動と制御を統合するための処理ユニットと、デジタルデータのアクセスとして用いられる格納ユニット及びメモリカード読み取りスロットと、データの双方向伝送として用いられるＵＳＢポートとを含むことを特徴とする請求項１に記載のヘッドマウンド型投影イヤホン構造。
【請求項３】
前記制御モジュールは、前記処理ユニットに給電するための電池ユニットと、ブルートゥースモジュールと、前記イヤホンハウジングの外表面に設けられた操作インタフェースとを含むことを特徴とする請求項２に記載のヘッドマウンド型投影イヤホン構造。
【考案の詳細な説明】
【技術分野】
【０００１】
本考案は、ヘッドマウンド型投影イヤホン構造に関し、特に投影機能を有する多機能デジタルイヤホンに関するものである。
【背景技術】
【０００２】
日常生活において、利便性をもたらす電子製品はどこでもよく見かけられる。生産技術の日進月歩の中で、電子製品の体積はますます小さくなっている。デジタルテクノロジーの発達によって、複数の機能を同時に伴う製品は課題でもなくなっている。また、本来一定の場所でしか使用できない電子製品は、いつでも身につけて携帯可能な用品、例えばスマートフォン、携帯型メディアプレイヤー（ＭＰ４）及び無線イヤホン等に一変している。
【０００３】
スマートフォンの普及に伴い、人々は携帯電話を身につけていながら、いつでもどこでも携帯電話を所定の時間だけスライドすることができる。しかしながら、目を過度に使用して小面積の携帯電話のスクリーンを見ていることが原因で、眼球乾燥症、早発性白内障、黄斑部病変等の視力問題になることがある。特に、長時間のビデオミーティングまたは映画を見ているときに、目に対する傷害は比較的に大きくなる。
【０００４】
従って、携帯電話の画像を大きくして実行すると同時に、質のよい音声効果である操作モードを提供することができれば、ユーザの目を保護する効果を奏することができるとともに、画像音声をエンジョイする目的を兼ね持つことができる。
【考案の概要】
【考案が解決しようとする課題】
【０００５】
そこで、本考案は、イヤホンと一体に形成され、大画面である画像を投影するための投影レンズを含んでおり、ユーザが質のよい画像音声効果をエンジョイすると同時に、目の負担を効果的に低減可能なヘッドマウンド型投影イヤホン構造を提供することを目的とする。
【課題を解決するための手段】
【０００６】
本考案に係るヘッドマウンド型投影イヤホン構造は、イヤホンセットと、制御モジュールと、投影モジュールと、音声モジュールとを含む。該イヤホンセットは、２つのイヤホンハウジングと、該２つのイヤホンハウジングにそれぞれ結合された２つのイヤマフと、該２つのイヤホンハウジングに連結されたイヤホンヘッド掛けとを含む。該制御モジュールは、該投影モジュールと該音声モジュールとに電気的に接続され、該投影モジュールと該音声モジュールの作動を制御する。該投影モジュールは、該イヤホンヘッド掛けに設けられた投影レンズを含む。該音声モジュールは、各イヤマフ内に設けられたスピーカを含む。画像を再生した場合、音声は該スピーカから発生し、同時に該投影レンズは画像を壁面に投影することができる。
【考案の効果】
【０００７】
本考案に係るヘッドマウンド型投影イヤホン構造によれば、画像を大きく投影することができ、ユーザがビデオミーティングまたは映画を見ているときに好ましい快適さの獲得を容易にし、かつ小スクリーンによる目に対する傷害を回避することができる。
【図面の簡単な説明】
【０００８】
【図１】本考案に係るヘッドマウンド型投影イヤホン構造の分解模式図を示す。
【図２】図１のヘッドマウンド型投影イヤホン構造の立体模式図を示す。
【図３】図１のヘッドマウンド型投影イヤホン構造のブロック図である。
【図４】図１のヘッドマウンド型投影イヤホン構造の利用模式図である。
【考案を実施するための形態】
【０００９】
図１ないし図４は、本考案に係る実施例のヘッドマウンド型投影イヤホン構造を示す。このヘッドマウンド型投影イヤホン構造は、イヤホンセット１０と、投影モジュール２０と、音声モジュール３０と、制御モジュール４０とを含む。イヤホンセット１０は、２つのイヤホンハウジング１１と、２つのイヤマフ１２と、該２つのイヤホンハウジング１１に連結され、ユーザの頭部に掛けるためのイヤホンヘッド掛け１３とを含む。
【００１０】
制御モジュール４０は、各イヤホンハウジング１１のハウジング内空間に設けられ、投影モジュール２０及び音声モジュール３０は、それぞれ制御モジュール４０と電気的に接続され、制御モジュール４０によって作動が制御される。投影モジュール２０は、イヤホンヘッド掛け１３の中央位置に設けられた投影レンズ２１を含む。音声モジュール３０は、各イヤマフ１２内に設けられたスピーカ３１を含む。画像の再生機能を実行した場合、音声はスピーカ３１から発生し、投影レンズ２１は、画像を例えば壁面のような物体に同時に投影して見ることができる。
【００１１】
制御モジュール４０は、処理ユニット４１と、格納ユニット４２と、メモリカード読み取りスロット４３と、ＵＳＢ（Ｕｎｉｖｅｒｓａｌ  Ｓｅｒｉａｌ  Ｂｕｓ）ポート４４とを含む。処理ユニット４１は、電機システム全体の機能作動及び制御を統合する。格納ユニット４２は、処理ユニット４１に電気的に接続される。格納ユニット４２及びメモリカード読み取りスロット４３は、デジタルデータのアクセスとして用いられ、ＵＳＢポート４４を介してデータの双方向伝送を行うことができる。これにより、格納ユニット４２とメモリカード４３１内の画像音声データを投影モジュール２０と音声モジュール３０の再生実行のために提供することができる。また、ＵＳＢポート４４を介してデータライン４５により携帯電話またはコンピュータに接続されることで、携帯電話またはコンピュータとリンクして画像音声データの再生を即時に行うことができる。
【００１２】
制御モジュール４０は、電池ユニット５０と、ブルートゥース（登録商標）モジュール６０と、操作インタフェース７０とをさらに含む。電池ユニット５０は、処理ユニット４１に電気的に接続され、オフラインの場合に必要な作動電圧を供給することができる。電池ユニット５０への充電は、ＵＳＢポート４４を介して行うことができる。ブルートゥースモジュール６０は、イヤホンが無線モードとして用いられるようにする無線データの伝送機能を有する。操作インタフェース７０は、イヤホンハウジング１１の外表面に設けれており、ユーザに対して携帯電話またはコンピュータによる制御以外の操作モードを提供することができる。
【００１３】
図４に示すように、装着した場合に、イヤホンヘッド掛け１３は、好ましい観賞角度が得られるために、角度の調整を適宜に行うことができる。本考案に係るヘッドマウンド型投影イヤホン構造によれば、イヤホンセット１０と投影モジュール２０とを一体に構成することで、ユーザは画像を大画面に投影することができ、ビデオミーティングの進行や映画の観賞が容易となり、小スクリーンによる目に対する傷害を回避することもできる。
【００１４】
上記のように、これらの実施の形態は本考案の好ましい実施例のみであり、本考案の特許請求の範囲に基づいてなされる等価の変更や修飾は、本考案の技術範囲に入るものである。
【００１５】
以上のように、本考案では、イヤホンセットと、制御モジュールと、投影モジュールと、音声モジュールとを含むヘッドマウンド型投影イヤホン構造であって、前記イヤホンセットは、２つのイヤホンハウジングと、前記２つのイヤホンハウジングにそれぞれ結合された２つのイヤマフと、前記２つのイヤホンハウジングに連結されたイヤホンヘッド掛けとを含み、前記制御モジュールは、前記投影モジュールと前記音声モジュールとに電気的に接続され、前記投影モジュールと前記音声モジュールの作動を制御しており、前記投影モジュールは、前記イヤホンヘッド掛けに設けられた投影レンズを含んでおり、前記音声モジュールは、各イヤマフ内に設けられたスピーカを含み、画像を再生した場合、音声は前記スピーカから発生し、同時に前記投影レンズは画像を壁面に投影することができることを特徴とするヘッドマウンド型投影イヤホン構造とするものである。
【００１６】
また、前記制御モジュールは、電気システム全体の機能作動と制御を統合するための処理ユニットと、デジタルデータのアクセスとして用いられる格納ユニット及びメモリカード読み取りスロットと、データの双方向伝送として用いられるＵＳＢポートとを含むものとする。
【００１７】
また、前記制御モジュールは、前記処理ユニットに給電するための電池ユニットと、ブルートゥースモジュールと、前記イヤホンハウジングの外表面に設けられた操作インタフェースとを含むものとする。
【産業上の利用可能性】
【００１８】
本考案に係るヘッドマウンド型投影イヤホン構造によれば、画像を大きく投影することができ、ユーザがビデオミーティングまたは映画を見ているときに好ましい快適さの獲得を容易にし、かつ小スクリーンによる目に対する傷害を回避することができる。
【符号の説明】
【００１９】
１０  イヤホンセット
１１  イヤホンハウジング
１２  イヤマフ
１３  イヤホンヘッド掛け
２０  投影モジュール
２１  投影レンズ
３０  音声モジュール
３１  スピーカ
４０  制御モジュール
４１  処理ユニット
４２  格納ユニット
４３  メモリカード読み取りスロット
４３１  メモリカード
４４  ＵＳＢポート
４５  データライン
５０  電池ユニット
６０  ブルートゥースモジュール
７０  操作インタフェース
【図１】
0003209661.tif 000003
【図２】
0003209661.tif 000004
【図３】
0003209661.tif 000005
【図４】
0003209661.tif 000006